(57)【要約】      （修正有）【課題】建具体を閉じた時に跳ね返ることがないようにできると共に、その建具体の開放力をアシストでき、しかも構成が簡単である建具とする。【解決手段】建具体２の戸当り部２ａにハンドル装置３を取付け、この戸当り部２ａと縦枠１２とに亘って跳ね返り防止装置４、開放アシスト装置５を取付ける。前記ハンドル装置３はハンドル３ａで作動金具を移動するものとし、前記跳ね返り防止装置４は係止部４ａを受け部４ｂに係止して建具体２を閉じ位置で保持するものとし、前記開放アシスト装置５はアシスト部５ａを受け部５ｂに押しつけて建具体２を開き方向に押すものとし、前記ハンドル３ａを開き操作して作動金具を移動すると係止部４ａが受け部４ｂから離脱して建具体２の保持を解放し、更にハンドル３ａを開き操作して作動金具を移動するとアシスト部５ａを受け部５ｂに押しつけて建具体２を開き方向に押すようにした建具。【選択図】図１
2008069583.tif 000002
【特許請求の範囲】
【請求項１】
縦枠を有する建具枠と、建具体を有した建具であって、前記建具体は、前記建具枠にその戸当り部が縦枠に接した閉じ位置と、その戸当り部が縦枠と離隔した開き位置とに亘って直線上を移動自在に装着し、
前記戸当り部にハンドル装置を取付け、
前記戸当り部と縦枠に亘って跳ね返り防止装置と開放アシスト装置をそれぞれ取付け、
前記ハンドル装置は、ハンドルと、そのハンドルを開放操作すると非作動位置から作動位置に移動する作動金具を備え、
前記跳ね返り防止装置は、戸当り部に設けた係止部と縦枠に設けた受け部を備え、前記建具体を閉じ移動して閉じ位置とすると前記係止部が受け部に係止して建具体を閉じ位置で保持し、かつ前記作動金具が非作動位置から作動位置に向けて移動することで前記係止部が受け部から離脱して建具体の保持を解放するようにし、
前記開放アシスト装置は、戸当り部に設けたアシスト部と縦枠に設けた受け部を備え、前記建具体が閉じ位置の状態で前記作動金具が作動位置に移動するとアシスト部が受け部を押して建具体に開き方向の力が作用するようにしたことを特徴とする建具。
【請求項２】
ハンドル装置の作動金具が非作動位置から作動位置方向へ移動することで、係止部が受け部から離脱した後に、アシスト部が受け部を押すようにした請求項１記載の建具。
【請求項３】
跳ね返り防止装置の係止部は、係止位置と離脱位置に亘って移動自在で、常時係止位置に保持されたラッチを有し、受け部は受け具を有し、
前記ラッチが係止位置の状態で受け具に押しつけられると受け具の係止受け部に係止すると共に、作動金具が非作動位置から作動位置に向けて移動することでラッチが離脱位置に移動するようにした請求項１又は２記載の建具。
【請求項４】
開放アシスト装置のアシスト部は可動部材を有し、受け部は受け具を有し、
前記可動部材は、建具体の開き側寄りの第１位置と閉じ側寄りの第２位置とに亘って移動自在で、かつ前記建具体が閉じ位置の状態で第２位置に移動することで可動部材が受け具を押すようにし、
前記可動部材は、常時第１位置に保持され、ハンドル装置の作動金具が作動位置に移動することで第２位置に移動するようにした請求項１又は２又は３記載の建具。
【請求項５】
ハンドル装置は、ハンドルの長手方向両端寄りに第１作動金具と第２作動金具がそれぞれ取付けられ、
跳ね返り防止装置の係止部と開放アシスト装置のアシスト部を、建具体の戸当り部に離隔して取付け、その係止部を前記第１作動金具で動作すると共に、アシスト部を前記第２作動金具で動作するようにし、
前記跳ね返り防止装置の受け部と開放アシスト装置の受け部を、縦枠に離隔して前記係止部、アシスト部と対峙して取付けした請求項１〜４いずれか１項に記載の建具。
【請求項６】
跳ね返り防止装置の係止部はラッチを有し、開放アシスト装置のアシスト部は可動部材を有し、
前記跳ね返り防止装置の受け部と前記開放アシスト装置の受け部を１つの受け具で兼用し、
前記ラッチと可動部材を１つのハウジングに設け、
前記可動部材は、建具体の開き側寄りの第１位置と閉じ側寄りの第２位置とに亘って移動自在で、かつ前記建具体が閉じ位置の状態で第２位置に移動することで可動部材が前記受け具を押すようにし、
前記可動部材は、常時第１位置に保持され、ハンドル装置の作動金具が作動位置に移動することで第２位置に移動するようにし、
前記ラッチは係止位置と離脱位置に亘って移動自在で、常時係止位置に保持され、このラッチが係止位置の状態で受け具に押しつけられると前記受け具の係止受け部に係止すると共に、前記可動部材が第１位置から第２位置に向けて移動することでラッチが離脱位置に移動するようにした請求項１記載の建具。
【請求項７】
可動部材が第１位置から第２位置に向けて所定のストローク移動した中間の位置の時にラッチが離脱位置に移動し、その後に可動部材が第２位置に向けて更に移動すると受け具を押すようした請求項６記載の建具。
【発明の詳細な説明】
【技術分野】
【０００１】
本発明は、引戸、引き違いサッシ、片引きサッシ等の建具枠に建具体を開き位置と閉じ位置とに亘って直線上を移動自在に装着した建具である。
【背景技術】
【０００２】
引戸は、枠に障子を開き位置と閉じ位置とに亘って直線上を移動自在に装着したものである。
前述した引戸においては、開き位置の障子を閉じ方向に移動して閉じ位置とした時に、その障子の戸当り側の縦框が枠の縦枠に衝突し、その反動で障子が跳ね返ることがある。
また、前述の引戸においては、障子重量が重い場合や、障子閉じ状態で障子と枠との間を気密材で気密している場合などには、障子を開放するのに大きな力を必要とすることがある。
【０００３】
前述の障子の跳ね返りを防止すると共に、障子の開放力を軽減できるようにした引戸が種々提案されている。
例えば、特許文献１に開示されたように、障子の戸当側縦框にハンドル操作による施錠装置を取付け、障子を閉じた時に障子を閉じ位置で施錠して跳ね返り防止し、障子を開放する時にはレバーハンドルを操作することで前記施錠装置を解錠すると共に、障子に開き方向の力を付与して障子の開放力を軽減できる引戸が知られている。
【０００４】
【特許文献１】特開２００５−９７８６６号公報
【発明の開示】
【発明が解決しようとする課題】
【０００５】
前述した従来の引戸であると、そのハンドル操作による施錠装置は、鎌金とトリガーを備え、障子を閉じることでトリガーが縦枠端面に押し当てられることで鎌金が施錠状態に作動する構成であるから、障子の跳ね返りを防止するためにトリガーが必要で、その構成が複雑となってしまう。
このことは、引戸に限ることはなく、引き違いサッシ、片引きサッシ等の建具枠に建具体を開き位置と閉じ位置に亘って直線上を移動する建具についても同様である。
【０００６】
本発明の目的は、建具体の跳ね返りを防止できると共に、その建具体の開放力を軽減でき、しかも、そのための構成が簡単である建具を提供することである。
【課題を解決するための手段】
【０００７】
本発明は、縦枠を有する建具枠と、建具体を有した建具であって、前記建具体は、前記建具枠にその戸当り部が縦枠に接した閉じ位置と、その戸当り部が縦枠と離隔した開き位置とに亘って直線上を移動自在に装着し、
前記戸当り部にハンドル装置を取付け、
前記戸当り部と縦枠に亘って跳ね返り防止装置と開放アシスト装置をそれぞれ取付け、
前記ハンドル装置は、ハンドルと、そのハンドルを開放操作すると非作動位置から作動位置に移動する作動金具を備え、
前記跳ね返り防止装置は、戸当り部に設けた係止部と縦枠に設けた受け部を備え、前記建具体を閉じ移動して閉じ位置とすると前記係止部が受け部に係止して建具体を閉じ位置で保持し、かつ前記作動金具が非作動位置から作動位置に向けて移動することで前記係止部が受け部から離脱して建具体の保持を解放するようにし、
前記開放アシスト装置は、戸当り部に設けたアシスト部と縦枠に設けた受け部を備え、前記建具体が閉じ位置の状態で前記作動金具が作動位置に移動するとアシスト部が受け部を押して建具体に開き方向の力が作用するようにしたことを特徴とする建具である。
【０００８】
本発明においては、ハンドル装置の作動金具が非作動位置から作動位置方向へ移動することで、係止部が受け部から離脱した後に、アシスト部が受け部を押すようにできる。
このようにすれば、跳ね返り防止装置による建具体の閉じ位置での保持が解除された後に、開放アシスト装置によって建具体を開き方向に押すので、その建具体の開放力を確実にアシストできるし、跳ね返り防止装置の破損を防止できる。
【０００９】
本発明においては、跳ね返り防止装置の係止部は、係止位置と離脱位置に亘って移動自在で、常時係止位置に保持されたラッチを有し、受け部は受け具を有し、
前記ラッチが係止位置の状態で受け具に押しつけられると受け具の係止受け部に係止すると共に、作動金具が非作動位置から作動位置に向けて移動することでラッチが離脱位置に移動するようにできる。
このようにすれば、建具体を閉じ位置とすることでラッチが受け具の係止受部に確実に係止するので、建具体の跳ね返りを確実に防止できる。
【００１０】
本発明においては、開放アシスト装置のアシスト部は可動部材を有し、受け部は受け具を有し、
前記可動部材は、建具体の開き側寄りの第１位置と閉じ側寄りの第２位置とに亘って移動自在で、かつ前記建具体が閉じ位置の状態で第２位置に移動することで可動部材が受け具を押すようにし、
前記可動部材は、常時第１位置に保持され、ハンドル装置の作動金具が作動位置に移動することで第２位置に移動するようにできる。
このようにすれば、ハンドル装置のハンドルを開き操作して作動金具を作動位置に移動することで、可動部材が第２位置に移動して受け具を押すから、建具体を開き方向に確実に押すことができる。
【００１１】
本発明においては、ハンドル装置は、ハンドルの長手方向両端寄りに第１作動金具と第２作動金具がそれぞれ取付けられ、
跳ね返り防止装置の係止部と開放アシスト装置のアシスト部を、建具体の戸当り部に離隔して取付け、その係止部を前記第１作動金具で動作すると共に、アシスト部を前記第２作動金具で動作するようにし、
前記跳ね返り防止装置の受け部と開放アシスト装置の受け部を、縦枠に離隔して前記係止部、アシスト部と対峙して取付けできる。
このようにすれば、１つのハンドルを操作することで第１作動金具と第２作動金具が作動し、跳ね返り防止装置と開放アシスト装置を確実に動作できる。
【００１２】
本発明においては、跳ね返り防止装置の係止部はラッチを有し、開放アシスト装置のアシスト部は可動部材を有し、
前記跳ね返り防止装置の受け部と前記開放アシスト装置の受け部を１つの受け具で兼用し、
前記ラッチと可動部材を１つのハウジングに設け、
前記可動部材は、建具体の開き側寄りの第１位置と閉じ側寄りの第２位置とに亘って移動自在で、かつ前記建具体が閉じ位置の状態で第２位置に移動することで可動部材が前記受け具を押すようにし、
前記可動部材は、常時第１位置に保持され、ハンドル装置の作動金具が作動位置に移動することで第２位置に移動するようにし、
前記ラッチは係止位置と離脱位置に亘って移動自在で、常時係止位置に保持され、このラッチが係止位置の状態で受け具に押しつけられると前記受け具の係止受け部に係止すると共に、前記可動部材が第１位置から第２位置に向けて移動することでラッチが離脱位置に移動するようにできる。
このようにすれば、１つのハウジングに設けた跳ね返り防止装置のラッチと開放アシスト機構の可動部材を、１つのハンドルを操作することで確実に動作制御できるので、その装置が構造簡単でコンパクトにできる。
【００１３】
本発明は、可動部材が第１位置から第２位置に向けて所定のストローク移動した中間の位置の時にラッチが離脱位置に移動し、その後に可動部材が第２位置に向けて更に移動すると受け具を押すようできる。
このようにすれば、ラッチが離脱位置に移動した後に可動部材が移動して建具体を開き方向に移動するから、誤って各部を損傷することを防止できる。
【発明の効果】
【００１４】
本発明によれば、跳ね返り防止装置によって建具体を閉じ位置で保持できるから、建具体の跳ね返りを防止できる。
また、開放アシスト装置によって閉じ位置の建具体を開き方向に押すことができるから、建具体の開放をアシストして開放力を軽減できる。
しかも、跳ね返り防止装置は、建具体を閉じ位置とすることで係止部が受け部に係止するから、トリガなどの複雑な形状の機構を設ける必要がなく、構成が簡単である。
【発明を実施するための最良の形態】
【００１５】
図１に示すように、建具枠１に建具体２を装着して建具としてある。
前記建具枠１は、上枠１０と下枠１１と左右の縦枠１２で方形状としてある。
前記建具体２は、前記上枠１０、下枠１１に沿って左右方向に移動自在で、この建具体２は、その戸当り部２ａが縦枠１２に接した閉じ位置と、その戸当り部２ａが縦枠１２と離隔した開き位置とに亘って直線上を移動する。
前記戸当り部２ａが縦枠１２に接するとは、戸当り部２ａが縦枠１２に気密材を介在して接する場合も含むものである。
【００１６】
図１に示す建具体２は、上框２０と下框２１と一方の縦框２２と他方の縦框２３を方形状に連結し、その内部にガラス、格子などを装着した框タイプの障子としてある。そして、一方の縦框２２が前記戸当り部２ａである。
また、図１に示す建具は、建具枠１に２つの建具体２（障子）が左右方向に移動自在に装着された玄関用の引き違い戸を示している。
なお、前記建具体２は障子に限ることはなく、戸、扉などでも良いし、框タイプに限ることはなく、正面と背面がパネルで覆われているパネルタイプでも良い。
また、建具としては、片引戸、引き違いサッシ、片引きサッシなどでも良い。
【００１７】
前記建具体２の戸当り部２ａにはハンドル装置３が取付けてある。
このハンドル装置３は、図２に示すように戸当り部２ａの正面と背面（つまり、建具体２の面外方向の両面）にそれぞれ取付けてある。これによって、建具体２を面外方向一側方（例えば、室外）と面外方向他側方（例えば、室内）とから開閉できる。
【００１８】
前記ハンドル装置３は建具体２を開閉するためのもので、棒状のハンドル３ａと、作動金具、例えば第１作動金具３ｂと第２作動金具３ｃを備えている。
前記ハンドル３ａは通常位置と開放位置とに亘って移動自在で、かつ常時通常位置に保持されている。
前記第１・第２作動金具３ｂ，３ｃは非作動位置と作動位置とに亘って移動自在である。前記ハンドル３ａが通常位置の時には非作動位置で、開放位置の時には作動位置に移動する。
【００１９】
前記ハンドル装置３の好ましい形態を説明する。
前記ハンドル３ａは戸当り部２ａの縦方向に向けて取付けてある。そのハンドル３ａの長手方向一端寄りに第１作動金具３ｂが設けてあると共に、ハンドル３ａの長手方向他端寄りに第２作動金具３ｃが設けてある。
前記ハンドル３ａと第１・第２作動金具３ｂ，３ｃは建具体２の開閉方向に移動する。この実施の形態では開閉方向に揺動しながら移動する。
そして、ハンドル３ａは図２に示す通常位置に保持される。ハンドル３ａが通常位置の時には第１・第２作動金具３ｅ，３ｃは図示の非作動位置である。
前記通常位置のハンドル３ａを持って、そのハンドル３ａを建具体２を閉じる方向（矢印ａ方向）に操作（閉じ操作）すると、ハンドル３ａは戸当り部２ａに対して移動することがなく通常位置のままで、ハンドル３ａとともに建具体２が閉じ方向に移動する。
この時、第１・第２作動金具３ｂ，３ｃは非作動位置のままである。
前述の通常位置のハンドル３ａを持って、そのハンドル３ａを建具体２を開く方向（矢印ｂ方向）に操作（開き操作）すると、ハンドル３ａが戸当り部２ａに対して開放位置に向けて移動し、第１・第２作動金具３ｂ，３ｃが作動位置に向けて移動する。
前述のハンドル３ａを建具体２を開く方向に操作するとは、建具体２の直線状移動方向と平行な方向に対して斜めの方向（矢印ｂ′）に力を加えることである。つまり、ハンドル３ａに回転モーメントが作用するように力を加えることである。
前記ハンドル３ａが開放位置に移動すると、前記第１・第２作動金具３ｂ，３ｃが作動位置となると共に、前記ハンドル３ａは戸当り部２ａに対して移動できなくなり、その状態でハンドル３ａを建具体２を開く方向に操作することで、ハンドル３ａとともに建具体２が開き方向に移動する。
この建具体２を開き方向に移動する時、第１・第２作動金具３ｂ，３ｃは作動位置のままである。
前述の説明でハンドル３ａを閉じる方向に操作するとは、ハンドル３ａに建具体２の閉じ方向に向かう力を付与することである。
【００２０】
前記ハンドル３ａの移動方向は建具体２の開閉方向に限ることはなく、建具体２の開閉方向と直角方向（面外方向）であっても良いし、戸当り部２ａの縦方向であっても良い。
【００２１】
前記縦枠１２と前記戸当り部２ａとに亘って跳ね返り防止装置４と、開放アシスト装置５が設けてある。
前記跳ね返り防止装置４は、戸当り部２ａに取付けた係止部４ａと、縦枠１２に設けた受け部４ｂを備えている。
そして、建具体２を開き位置から閉じ方向に移動（つまり、閉じ移動）することで閉じ位置とすると、その係止部４ａが受け部４ｂに係止し、跳ね返り防止装置４が建具体２を開き方向に移動しないように保持する。
これによって、建具体２の戸当り部２ａが縦枠１２に当たって跳ね返ることが防止され、建具体２を閉じ位置とすることができる。
【００２２】
前記係止部４ａは、図２に示すように前記ハンドル装置３の第１作動片３ｂと対向し、その第１作動片３ｂが非作動位置から作動位置に向けて所定ストローク移動して非作動位置と作動位置との中間の位置とすることで、係止部４ａと受け部４ｂの係止が解除される。
これによって、ハンドル３ａを通常位置から開放位置に向けて移動して通常位置と開放位置との中間の位置とすることで、跳ね返り防止装置４による建具体２の保持を解放されるので、建具体２を開き方向に移動できる。
【００２３】
前記開放アシスト装置５は、戸当り部２ａに取付けたアシスト部５ａと、縦枠１２に設けた受け部５ｂを備えている。
前記アシスト部５ａが図２に示すようにハンドル装置３の第２作動金具３ｃと対向している。
そして、建具体２が閉じ位置の時に第２作動金具３ｃが中間の位置から作動位置に移動することで、その第２作動金具３ｃがアシスト部５ａを動作し、そのアシスト部５ａが受け部５ｂを押して建具体２に開き方向の力を付与し、建具体２を開き方向にけり出しする。
これによって、建具体２の開放力をアシストすることができる。
【００２４】
次に、各部材の具体形状を説明する。
前記ハンドル装置３は図３と図４に示すように、前述のハンドル３ａ、第１・第２作動金具３ｂ，３ｃと、一対のアーム３０と、一対の取付台座３１と、一対のブラケット３２、ばね３３を有している。
前記アーム３０の基端部がハンドル３ａにビス３０ａで固着して取付けられ、一対のアーム３０はハンドル３ａの長手方向両端部に取付けてある。このアーム３０の先端部は上下の突片３０ｂ，３０ｂを備え、その上下の突片３０ｂ，３０ｂには第１ピン孔３４ａと第２ピン孔３４ｂがそれぞれ形成してある。
前記取付台座３１は開口部３１ａを有し、その開口部３１ａは取付台座３１の表面３１ｂと裏面３１ｃにそれぞれ開口していると共に、前記アーム３０の先端部が表面３１ｂから開口部３１ａ内に挿入される。
前記ブラケット３２は取付縦片３２ａと上下の横片３２ｂ，３２ｂでほぼコ字状で、その取付縦片３２ａに長孔３５が形成されていると共に、上下の横片３２ｂ，３２ｂには第１・第２ピン孔３６ａ，３６ｂが形成されている。
前記ブラケット３２は取付台座３１の開口部３１ａ内に裏面３１ｃ側から挿入して、その取付縦片３２ａをビス３２ｃで固着して取付けられ、このブラケット３２の上下の横片３２ｂ間に前記アーム３０の上下の突片３０ｂが挿入する。
前記第１・第２作動金具３ｂ，３ｃはアーム３０の上下の突片３０ｂ間に設けられ、ブラケット３２の長孔３５を貫通して取付台座３１の裏面３１ｃから突出する。この第１・第２作動金具３ｂ，３ｃは第１ピン孔３７ａと第２ピン孔３７ｂを有する。
【００２５】
前記各第１ピン孔３４ａ，３６ａ，３７ａに第１ピン３８ａが挿入され、各第２ピン孔３４ｂ，３６ｂ，３７ｂに第２ピン３８ｂが挿入されている。
前記ブラケット３２の第１ピン孔３６ａは長孔で、この第１ピン３６ａに対して第１ピン３８ａが移動可能で、アーム３０、第１・第２作動金具３ｂ，３ｃはブラケット３２に対して第２ピン３０ｂを中心として揺動自在で、前記ばね３３で一方向に揺動付勢して保持される。
前記取付台座３１が図２に示すように一方の縦框２２に固着して取付けられ、第１・第２作動金具３ｂ，３ｃが一方の縦框２２の中空部内にそれぞれ突出する。
これによって、ハンドル３ａは前述の通常位置に保持され、矢印ａ方向には揺動しないと共に、矢印ｂ方向には所定のストロークだけ揺動する。
【００２６】
次に、前記跳ね返り防止装置４の具体形状を説明する。なお、戸当り部２ａを一方の縦框２２として説明する。
図５と図６に示すように、跳ね返り防止装置４の係止部４ａは、ラッチ４０を備えている。このラッチ４０は受け部４ｂに係止する係止位置と離脱する離脱位置とに亘って移動自在で、常時係止位置に保持され、外力によって離脱位置に移動する。
前記ラッチ４０は係止部４０ａと作動部４０ｂを有し、その係止部４０ａが受け部４ｂに係脱自在で、その作動部４０ｂが第１作動金具３ｂで押される。
例えば、ハウジング４１にラッチ４０をピン４２で揺動自在に取付け、そのラッチ４０をばね４３で係止方向に揺動して作動部４０ｂをハウジング４１に接して係止位置に保持する。
そして、ハウジング４１を縦框２２の中空部２２ａ内に挿入し、縦框２２の端面板２２ｂに、表面プレート４４とビス４５を用いて固着して取付ける。
前記ラッチ４０の作動部４０ｂが第１作動金具３ｂと対向し、前記ハウジング４１には切欠部４６が形成されている。前記第１作動金具３ｂが非作動位置から作動位置に向けて移動することで、ハウジング４１内に入り込み、その第１作動金具３ｂがラッチ４０の作動部４０ｂを押してラッチ４０を離脱位置に向けて揺動するようにしてある。
【００２７】
前記縦枠１２の端面板１２ａに受け具４７を表面プレート４８とビス４９で固着して取付け、この受け具４７を前述の受け部４ｂとしてある。
前記受け具４７は取付部４７ａと、この取付部４７ａよりも突出した係止受け部４７ｂを備えている。
そして、取付部４７ａが端面板１２ａに前述のようにして取付けられ、その係止受け部４７ｂが端面１２ａの開口部１２ｂ、表面プレート４８の開口部４８ａを挿通して縦枠１２の建具体当接面１２ｃよりも面内方向に突出している。建具体２が閉じ位置の時に、前記係止受け部４７ｂは、表面プレート４４の開口部４４ａ、端面板２２ｂの開口部２２ｃを挿通してハウジング４１内に突出する。
【００２８】
次に、前記開放アシスト装置５の具体形状を説明する。なお、戸当り部２ａを一方の縦框２２として説明する。
図７と図８に示すように、開放アシスト装置５のアシスト部５ａは可動部材５０を備えている。この可動部材５０は建具体２の開き側寄りの第１位置と閉じ側寄りの第２位置とに亘って建具体２の開閉方向に移動自在で、常時は第１位置に保持される。
そして、第２作動金具３ｃが非作動位置から作動位置に向けて移動することで、可動部材５０は第２位置に向けて移動する。
例えば、前記可動部材５０は本体５０ａと杆体５０ｂを備えている。その本体５０ａがハウジング５１内に移動自在に支承して設けてあると共に、前記杆体５０ｂのガイド長溝５２に挿通したガイド５３がハウジング５１に取付けてあり、これによって、可動部材５０はハウジング５１内に第１位置と第２位置に亘って移動自在に設けられている。
前記杆体５０ｂの周囲にコイルばね５４を設け、このコイルばね５４を本体５０ａとガイド５３に接して可動部材５０を第１位置に保持している。
前記ハウジング５１が縦框２２の中空部２２ａ内に挿入され、その端面板２２ｂに、表面プレート５５とビス５６を用いて固着して取付けてある。
前記可動部材５０（本体５０ａ）がハンドル装置３の第２作動金具３ｃと対向し、その第２作動金具３ｃを作動位置に向けて移動することで、その第２作動金具３ｃが、ハウジング５１に形成した切欠部５１ａよりハウジング５１内に入り込み、本体５０ａを第２位置に向けて移動する。
【００２９】
前記縦枠１２の端面板１２ａに受け具５７を表面プレート５８、ビス５９を用いて固着して取付け、この受け具５７を前述の受け部５ｂとしてある。
この受け具５７は取付部５７ａと、この取付部５７ａよりも突出した当接部５７ｂを備えている。
そして、取付部５７ａが端面板１２ａに前述のようにして取付けられ、その当接部５７ｂが端面板１２ａの開口部１２ｂ、表面プレート５８の開口部５８ａを挿通して縦枠１２の建具体当接面１２ｃよりも面内方向に突出している。
建具体２が閉じ位置の時に、前記当接部５７ｂは、表面プレート５５の開口部５５ａ、端面板２２ｂの開口部２２ｃを挿通してハウジング５１内に突出し、その当接部５７ｂ（受け部５ｂ）と杆体５０ｂとは所定の大きさの隙間を置いて対向する。
【００３０】
この開放アシスト装置５の受け具５７は前記跳ね返り防止装置４の受け具４７と同一で、その当接部５７ｂと前記係止受け部４７ｂとの面内方向の位置がずれているから、受け具５７の取付部５７ａを縦枠１２の端面板１２ａに接することができない。
このために、取付部５７ａと端面板１２ａとの間にスペーサ５７ｃを介在してある。
【００３１】
次に、建具体２の開閉動作を説明する。
図９（ａ）に示すように建具体２が開いた状態では、跳ね返り防止装置４の係止部４ａのラッチ４０と受け部４ｂ及び開放アシスト装置５のアシスト部５ａの可動部材５０と受け部５ｂは、それぞれ面内方向に離隔している。
前記係止部４ａのラッチ４０は係止位置に保持されている。
前記アシスト部５ａの可動部材５０は第１位置に保持されている。
ハンドル装置３のハンドル３ａは通常位置で、第１・第２作動金具３ｂ，３ｃは非作動位置である。
【００３２】
前述の状態でハンドル装置３のハンドル３ａを閉じ操作することで、ハンドル３ａとともに建具体２が矢印ｃで示すように閉じ方向に移動する。
この時、ハンドル装置３の第１・第２作動金具３ｂ，３ｃは非作動位置のままである。
そして、建具体２が閉じ位置近くまで移動すると、図９（ａ）に仮想線で示すようにラッチ４０の係止部４０ａの先端面４０ｃが受け部４ｂ（受け具４７の係止受け部４７ｂ）に当接する。この係止部４０ａの先端面４０ｃは水平に対して斜めで、その先端面４０ｃが係止受け部４７ｂに当接することでラッチ４０を離脱位置に向けて揺動する力が作用するようにしてある。
【００３３】
このようであるから、前述の状態から建具体２をさらに閉じ方向に移動することで、ラッチ４０は離脱位置に向けて順次揺動し、建具体２が閉じ位置となるとラッチ４０の係止部４０ａが係止受け部４７ｂを越えて図９（ｂ）に示すように係止部４０ａが係止受け部４７ｂに係止する。
これによって、建具体２は閉じ位置で保持され、跳ね返ることを防止する。
この時、開放アシスト装置５０の可動部材５０（杆体５０ｂ）は受け部５ｂ（受け具５７の当接部５７ｂ）と離隔している。
【００３４】
前述した建具体２が閉じ位置の状態で、ハンドル装置３のハンドル３ａを開き操作すると、第１・第２作動金具３ｂ，３ｃが図９（ｂ）に矢印ｄで示すように作動位置に向けて移動する。
前述のように、第１・第２作動金具３ｂ，３ｃが作動位置に向けて移動すると、ラッチ４０は第１作動金具３ｂで離脱位置に向けて揺動されると共に、可動部材５０は第２作動金具３ｃで第２位置に向けて移動される。
そして、第１作動金具３ｂが図１０（ａ）に示すように距離Ｓ１だけ作動位置に向けて移動して中間の位置となると、ラッチ４０の係止部４０ａが係止受け部４７ｂと離れ、建具体２を閉じ位置で保持することが解除される。
【００３５】
この時、第２作動金具３ｃも距離Ｓ１だけ移動して中間の位置となり、可動部材５０を距離Ｓ１だけ移動するが、その可動部材５０（杆体５０ｂ）が当接部５７ｂを押すことがなく、建具体２を開き方向に押す力が作用しないようにしてある。
要するに、ラッチ４０の係止部４０ａが係止受け部４７ｂに係止している時には開放アシスト装置５によって建具体２を開き方向に押す力が作用しないようにしてある。
【００３６】
前述の状態からハンドル装置３のハンドル３ａを更に開き操作して第１・第２作動金具３ｂ，３ｃを中間の位置から作動位置に向けて移動すると、アシスト部５ａの可動部材５０（杆体５０ｂ）が当接部５７ｂを押して建具体２を開き方向に押す力が作用し、閉じ位置の建具体２を開き位置に向けてけり出す。つまり、建具体２の開放をアシストする。
【００３７】
そして、ハンドル３ａが開放位置となると図１０（ｂ）に示すように第１・第２作動金具３ｂ，３ｃが図１０（ａ）に示す位置から更に移動（非作動位置から距離Ｓ２だけ移動）して作動位置となる。
これによって、建具体２は図１０（ａ）に示す閉じ位置から図１０（ｂ）に示す位置まで距離Ｓ３（Ｓ２−Ｓ１）だけ押されることになる。
すなわち、ハンドル３ａを中間の位置（距離Ｓ１だけ移動した位置）から開放位置（距離Ｓ２だけ移動した位置）まで開き操作する時に前述の開放アシスト装置５で建具体２に開き方向に向かう力が作用するので、建具体２は開き方向にけり出しされる。
【００３８】
この時、第１作動金具３ｂも距離Ｓ２−Ｓ１だけ更に移動するので、ラッチ４０は図１０（ａ）に示す離脱位置よりも更に離脱方向に揺動して図１０（ｂ）に示すように係止受け部４７ｂと遠く離れた位置となる。
【００３９】
そして、ハンドル装置３のハンドル３ａが開放位置まで移動すると、ハンドル３ａはそれ以上移動しないので、そのハンドル３ａを更に開き操作することで、建具体２を開き位置に向けて移動することができる。
【００４０】
また、前述のハンドル装置３は、ハンドル３ａの通常位置から開き位置に向かう移動方向が建具体２を開き位置に向けて移動する方向と同様であるから、ハンドル３ａを開き操作し続けることで、まずラッチ４０が離脱し、その後に可動部材５０でけり出しされ、その後に建具体２が開き方向に移動する。
したがって、ハンドル３ａを開き操作することで建具体２を小さな操作力で、スムーズに開放できる。
【００４１】
前述の実施の形態では、跳ね返り防止装置４と開放アシスト装置５を別体として別々に取付けしたが、これに限ることはなく一体としても良い。
例えば、図１１と図１２に示すように、１つのハウジング６０にラッチ４０と可動部材５０を設け、そのラッチ４０が係止する受け部４ｂと可動部材５０が押す受け部５ｂ、例えば受け具７０を共通とする。
以下、その具体形状を説明する。
ハウジング６０は前述したハウジング４１，５１と同様の形状で、縦框２２の端面板２２ｂに、表面プレート６１とビス６２を用いて前述と同様に取付けられる。
受け具７０は前述した受け具４７，５７と同様の形状で、その取付部７０ａが縦枠１２の端面板１２ａに、表面プレート７１、ビス７２を用いて固着して取付けられる。
【００４２】
前記ハウジング６０にラッチ４０が前述と同様に取付けられ、その係止部４０ａが係止受け部７０ｂに係止することで跳ね返りを防止するようにして、跳ね返り防止装置４としてある。
前記ハウジング６０に可動部材５０が前述と同様に取付けられ、その杆体５０ｂが、前記受け具７０におけるラッチ４０の係止部４０ａが係止する係止受け部７０ｂ部分を押すようにして、開放アシスト装置５としてある。
前記ハウジング６０は作動金具（前述の第１又は第２作動金具３ｂ，３ｃ）が入り込む切欠部６３が形成され、この切欠部６３からハウジング６０内に入り込む作動金具が、前記可動部材５０の本体５０ａを押すようにしてある。
そして、この可動部材５０の本体５０ａでラッチ４０の作動部４０ｂを押してラッチ４０を離脱位置に向けて移動する。
【００４３】
次に、作動とともに各部の形状について説明する。
図１３（ａ）に示すように、建具体２が開いた状態では、ラッチ４０は係止位置に保持され、可動部材５０は第１位置に保持されている。
この状態でハンドル装置３のハンドル３ａを閉じ操作することで、建具体２がハンドル３ａとともに矢印で示すように閉じ方向に移動する。
そして、建具体２が閉じ位置近くまで移動すると、図１３（ｂ）に示すように、ラッチ４０の係止部４０ａの先端面４０ｃが係止受け部７０ｂに当接し、建具体２をさらに閉じ方向に移動することでラッチ４０は離脱位置に向けて順次揺動し、建具体２が閉じ位置となると図１３（ｃ）に示すように、ラッチ４０の係止部４０ａが係止受け部４７ｂに係止する。
これによって、建具体２を閉じ位置で保持し、跳ね返ることを防止する。
この動作は、前述の跳ね返り防止装置４と開放アシスト装置５を別々とした場合と同様である。
【００４４】
前述の状態からハンドル装置３のハンドル３ａを開き操作すると、作動金具（以下、第１作動金具３ｂという）が作動位置に向けて移動し、可動部材５０の本体５０ａがラッチ４０の作動部４０ｂを押してラッチ４０を離脱位置に向けて揺動し、第１作動金具３ｂが中間の位置まで移動すると図１４（ａ）のように、ラッチ４０の係止部４０ａが係止受け部７０ｂと離脱すると共に、前記可動部材５０の杆体５０ｂが係止受け部７０ｂ部分に接する。
【００４５】
前述した状態からハンドル３ａを更に開き操作すると、可動部材５０の杆体５０ｂが前述の係止受け部７０ｂ部分を押して図１４（ｂ）に示すように閉じ位置の建具体２を開き位置に向けてけり出す。
つまり、前述の実施例と同様に建具体２の開放をアシストする。
【００４６】
そして、ハンドル３ａが開放位置となると、ハンドル３ａは縦框２２に対して移動せずに、ハンドル３ａと建具体２が図１４（ｃ）に示すように一体となって開き位置に向けて移動する。
【００４７】
この実施の形態の場合には、ハンドル装置３は１つの作動金具を有していれば良い。
また、第１・第２作動金具３ｂ，３ｃを有するハンドル装置３を用いた場合には、この実施の形態の装置と前述の開放アシスト装置５を用いることで、建具体２の上下方向２ヶ所に開き方向に向かう力が作用するから、建具体２を開き方向に強く安定した状態でけり出すことが可能である。
例えば、第１作動金具３ｂと対向して前述の図１１に示す装置を取付け、第２作動金具３ｃと対向して開放アシスト装置５を取付け、ハンドル３ａを開き操作することで第１・第２作動金具３ｂ，３ｃを作動位置に移動することで建具体２の２ヶ所に開き方向に向かう力が作用するようにする。
【図面の簡単な説明】
【００４８】
【図１】本発明の実施の形態を示す建具の正面図である。
【図２】図１のＡ−Ａ断面図である。
【図３】ハンドル装置の横断面図である。
【図４】ハンドル装置の分解斜視図である。
【図５】跳ね返り防止装置の取付け状態の縦断面図である。
【図６】跳ね返り防止装置の横断面図である。
【図７】開放アシスト装置の取付け状態の縦断面図である。
【図８】開放アシスト装置の横断面図である。
【図９】建具体の閉じ動作説明図である。
【図１０】建具体の開き動作説明図である。
【図１１】跳ね返り防止装置と開放アシスト装置の第２の実施の形態を示す縦断面図である。
【図１２】分解斜視図である。
【図１３】建具体の閉じ動作説明図である。
【図１４】建具体の開き動作説明図である。
【符号の説明】
【００４９】
１…建具枠、２…建具体、２ａ…戸当り部、３…ハンドル装置、３ａ…ハンドル、３ｂ…第１作動金具、３ｃ…第２作動金具、４…跳ね返り防止装置、４ａ…係止部、４ｂ…受け部、５…開放アシスト装置、５ａ…アシスト部、５ｂ…受け部、４０…ラッチ、４７…受け具、５０…可動部材、５７…受け具、６０…ハウジング、７０…受け具。
【図１】
2008069583.tif 000003
【図２】
2008069583.tif 000004
【図３】
2008069583.tif 000005
【図４】
2008069583.tif 000006
【図５】
2008069583.tif 000007
【図６】
2008069583.tif 000008
【図７】
2008069583.tif 000009
【図８】
2008069583.tif 000010
【図９】
2008069583.tif 000011
【図１０】
2008069583.tif 000012
【図１１】
2008069583.tif 000013
【図１２】
2008069583.tif 000014
【図１３】
2008069583.tif 000015
【図１４】
2008069583.tif 000016